(57)【特許請求の範囲】
【請求項１】
表示窓を有するハウジングと、同ハウジングの表示窓に沿って設けられた液晶表示パネルと、上記ハウジング内において上記液晶表示パネルの裏面側に配置された制御回路基板とを含み、上記液晶表示パネルと上記制御回路基板との間に発熱を伴って点灯するバックライトが配置され、上記液晶表示パネルと上記制御回路基板とが、上記ハウジングの側壁内面に沿って引き回されるフレキシブル印刷配線板を介して電気的に接続されている液晶表示装置において、
上記フレキシブル印刷配線板に温度補償用の温度検知素子が実装され、上記温度感知素子は、上記フレキシブル印刷配線板を遮熱体として、上記バックライトとは反対側である上記フレキシブル印刷配線板の上記ハウジングの側壁内面と対向する面側に配置されていることを特徴とする液晶表示装置。
【発明の詳細な説明】
【０００１】
【発明の属する技術分野】
本発明は液晶表示装置に関し、さらに詳しく言えば、温度補償を行なうための温度検知素子の取付構造に関するものである。
【０００２】
【従来の技術】
実際の製品形態としての液晶表示装置は、図４の断面図に例示されているように、上面に表示窓１１を有する箱形のハウジング１０を備えており、その表示窓１１に沿って液晶表示パネル２０が配置されている。
【０００３】
また、ハウジング１０内には液晶表示パネル２０とともに、その制御回路基板３０が液晶表示パネル２０の裏面側に配置され、この例では、さらに液晶表示パネル２０と制御回路基板３０との間にバックライト４０が配置されている。なお、液晶表示パネル２０と制御回路基板３０はフレキシブル印刷配線板５０により電気的に接続されている。
【０００４】
【発明が解決しようとする課題】
ところで、液晶の表示を適正に保つには、その周辺温度に応じて印加する駆動電圧を変えて温度補償する必要がある。そのため、ノートパソコン等の用途では、外部に設置したボリュームを使用者が手動で調整し好みの表示に合わせるようにすることが多いが、手動による煩雑な調整を避けたい用途の場合には、自動的に温度補償を行なうために周辺温度検知用の温度検知素子を備えている。
【０００５】
多くの場合、温度検知素子としてサーミスタＴＨが用いられるが、従来においては、もっぱら取りつけ易さの点から、そのサーミスタＴＨを制御回路基板３０に実装するようにしている。
【０００６】
しかしながら、この取付位置ではサーミスタＴＨはバックライト４０からの発熱により徐々に加熱されることになるため、本来検知すべき液晶表示パネル２０の周辺温度を正確に検知することができない。
【０００７】
ちなみに、バックライト４０に冷陰極管（ＣＦＬ）を用いても４０〜５０℃程度の発熱があり、また、装置の小型化に伴なってバックライト４０と制御回路基板３０の間が狭められる傾向にあるため、上記の問題がますます顕著になる。
【０００８】
さらに、制御回路基板３０にバックライト４０を駆動するインバータ回路や昇圧トランスなどの発熱体がある場合には、サーミスタＴＨはそれによっても加熱されることになる。
【０００９】
本発明は、このような課題を解決するためになされたもので、その目的は、より正確に液晶表示パネルの周辺温度を検知することができるようにした液晶表示装置を提供することにある。
【００１０】
【課題を解決するための手段】
上記目的を達成するため、本発明は、表示窓を有するハウジングと、同ハウジングの表示窓に沿って設けられた液晶表示パネルと、上記ハウジング内において上記液晶表示パネルの裏面側に配置された制御回路基板とを含み、上記液晶表示パネルと上記制御回路基板との間に発熱を伴って点灯するバックライトが配置され、上記液晶表示パネルと上記制御回路基板とが、上記ハウジングの側壁内面に沿って引き回されるフレキシブル印刷配線板を介して電気的に接続されている液晶表示装置において、上記フレキシブル印刷配線板に温度補償用の温度検知素子が実装され、上記温度感知素子は、上記フレキシブル印刷配線板を遮熱体として、上記バックライトとは反対側である上記フレキシブル印刷配線板の上記ハウジングの側壁内面と対向する面側に配置されていることを特徴としている。
【００１１】
このように、温度検知素子を制御回路基板ではなく、フレキシブル印刷配線板に実装するようにしたことにより、バックライトや制御回路基板上の発熱部品からの温度検知素子に対する熱的影響が大幅に低減される。また、フレキシブル印刷配線板の所定の配線に温度検知素子を接続することにより、既存の構成を最小限手直しすることで済ませることができる。
【００１２】
また、本発明においては、温度検知素子はフレキシブル印刷配線板のハウジングの側壁内面と対向する面側に実装されているため、フレキシブル印刷配線板自体が遮熱体となり、温度検知素子をより効果的に発熱体から保護することができる。
【００１３】
【発明の実施の形態】
次に、本発明の技術的思想をよりよく理解するうえで、図１ないし図３に基づいてその好適な実施例について説明する。なお、この実施例において、先に説明した図４の構成と同一もしくは同一と見なしてよい部分にはそれと同じ参照符号が用いられている。
【００１４】
図１はこの実施例における液晶表示装置の図４と同様の断面図であるが、図２は同液晶表示装置の内部をその左側面から透視した左側面図、図３は同液晶表示装置から液晶表示パネル２０を取り外した状態での平面図である。
【００１５】
この実施例においても、ハウジング１０内には液晶表示パネル２０がその表示窓１１に沿って配置され、その裏面側にバックライト４０と制御回路基板３０とが配置されている。
【００１６】
液晶表示パネル２０と制御回路基板３０は、フレキシブル印刷配線板５０により電気的に接続されているが、この実施例において、フレキシブル印刷配線板５０には、第１の印刷配線板５１と第２の印刷配線板５２とを接続したものが用いられている。
【００１７】
第１の印刷配線板５１側の一端には、制御回路基板３０に設けられているコネクタ３１に差し込まれるカードエッジ型の端子５１ａが設けられており、第２の印刷配線板５２側の他端は図示しない例えば異方性導電コネクタを介して液晶表示パネル２０の端子部に接続される。
【００１８】
すなわち、フレキシブル印刷配線板５０は、制御回路基板３０のコネクタ３１からハウジング１０の側壁内面に沿って引き回されて、液晶表示パネル２０の端子部に至るが、本発明によると、このフレキシブル印刷配線板５０に温度検知素子としてのサーミスタＴＨが実装されている。
【００１９】
この実施例では、サーミスタＴＨは第１の印刷配線板５１側に取り付けられているが、第２の印刷配線板５２側に取り付けられてもよい。いずれにしても、サーミスタＴＨが発熱体としてのバックライト４０や制御回路基板３０の発熱部品から遠ざけられるため、それらからの熱的影響が低減され、液晶表示パネル２０の周辺により近い温度の検出が可能となる。
【００２０】
なお、サーミスタＴＨをフレキシブル印刷配線板５０に実装するにあたっては、図１に示されているように、ハウジング１０の側壁内面と対向する面側（ハウジングの内部中央から見てフレキシブル印刷配線板５０の外側面）に取り付けることが好ましく、これによれば、フレキシブル印刷配線板５０自体が遮熱体となり、サーミスタＴＨに対するバックライト４０やその他の発熱部品からの熱的影響がより効果的に低減される。
【００２１】
また、フレキシブル印刷配線板５０に形成されている多数の配線の中から所定の配線を選んで、サーミスタＴＨをその配線上に実装することにより、新たに温度検知信号用の配線を引き回す必要もなく、最小限の設計変更で済ませることができる。
【００２２】
【発明の効果】
以上説明したように、本発明によれば、温度補償用の温度検知素子を、液晶表示パネルとその制御回路基板とを接続するフレキシブル印刷配線板に実装するようにしたことにより、温度検知素子に対するバックライトや制御回路基板上の発熱部品からの熱的影響が大幅に低減され、液晶表示パネルの周辺により近い温度の検出が可能となる。
【００２３】
また、フレキシブル印刷配線板の所定の配線上に温度検知素子を実装することにより、新たに温度検知信号用の配線を引き回す必要もなく、最小限の設計変更で対応することができる。
【００２４】
さらには、温度検知素子をフレキシブル印刷配線板のハウジングの側壁内面と対向する面側に実装することにより、フレキシブル印刷配線板自体が遮熱体となるため、温度検知素子をより効果的に発熱体から保護することができる。
【図面の簡単な説明】
【図１】本発明の一実施例としての液晶表示装置を示した断面図。
【図２】上記実施例の液晶表示装置の内部を透視した左側面図。
【図３】上記実施例の液晶表示装置から液晶表示パネルを取り外してその内部を透視した平面図。
【図４】従来例としての液晶表示装置を示した断面図。
【符号の説明】
１０  ハウジング
１１  表示窓
２０  液晶表示パネル
３０  制御回路基板
４０  バックライト
５０  フレキシブル印刷配線板
ＴＨ  温度検知素子（サーミスタ）
【図１】
0003778394.tif 000002
【図２】
0003778394.tif 000003
【図３】
0003778394.tif 000004
【図４】
0003778394.tif 000005